(57)【要約】【課題】ポート実装密度を犠牲にせず、作業者が作業対象のポートを誤ることを防止することができる誤挿抜防止システムを提供する。【解決手段】誤挿抜防止システムの光伝送装置１００は、外部信号を送受するための複数のポート１０１と、各ポート１０１内に設置され、人体の接触を検出するタッチセンサ１０２と、人体の接触を検出したタッチセンサ１０２に対応するポート１０１の情報を表示部１３０に表示する制御部１１０と、各ポート１０１を区別する情報を記憶する記憶部１２０と、各ポート１０１を区別する情報を表示する表示部１３０と、を備える。【選択図】図２
2019219471.tif 000002
【特許請求の範囲】
【請求項１】
外部信号を送受するための複数の入出力ポートを有する電子機器と、
各前記入出力ポートに設置され、人体の接触を検出するタッチセンサと、
各前記入出力ポートを区別する情報を表示する表示部と、
人体の接触を検出した前記タッチセンサに対応する前記入出力ポートの情報を前記表示部に表示する制御部と、を備える
ことを特徴とする誤挿抜防止システム。
【請求項２】
前記タッチセンサは、人体に接する導電部品を介して人体の接触を検出する
ことを特徴とする請求項１に記載の誤挿抜防止システム。
【請求項３】
前記電子機器は、各前記入出力ポートをキャビネットの面に配列し、
前記表示部は、前記キャビネットの前記面上に配置される
ことを特徴とする請求項１に記載の誤挿抜防止システム。
【請求項４】
前記電子機器を監視する監視装置と、
前記タッチセンサによる信号を前記監視装置に通知する通知部と、さらに備える
ことを特徴とする請求項１に記載の誤挿抜防止システム。
【発明の詳細な説明】
【技術分野】
【０００１】
本発明は、誤挿抜防止システムに関する。
【背景技術】
【０００２】
近年の電子機器の小型化に伴い、通信ケーブル等を接続する外部入出力端子（以下、ポートという）の実装密度は高くなる傾向にある。一つの装置に多数のポートが配置されていると、作業者が誤ったポートにケーブルを接続してしまったり、逆に誤ったケーブルを抜去してしまったりするヒューマンエラーが発生しやすい。特に、大容量の通信を行う光ファイバ通信設備などの場合は、誤ったケーブルの抜去は広範囲の通信断を引き起こすため大きな問題となる。
通常、ポートの近傍に番号を付すことによって作業者が正しいポートを認識できるようになっているが、必ずしも分かりやすくなっているとは言えない。
【０００３】
図１０は、従来の電子機器のキャビネットの後部に横方向に配列して設けられたポートを示す図であり、図１０（ａ）は、ポート番号が始端と終端のポートの近傍に表示された例を示し、図１０（ｂ）は、上下にポートが配列され、ポート番号が略号と共に記載された例を示す。
図１０（ａ）に示すように、電子機器１Ａのキャビネットの後部１０Ａには、８つのポート１１−１〜１１−８が横方向に配列して設けられている。ポート１１−１の左側には、ポート１１−１の番号「１」が、また、ポート１１−８の右側には、ポート１１−８の番号「８」が印字、刻印、シール部材貼付等（以下、印字という）されている。
図１０（ａ）の例では、８つのポート１１−１〜１１−８が設けられている。８つのポート１１−１〜１１−８は、実装密度を向上させる観点から各ポートの間の隙間が文字を印字できるほど取られていない。また、装置低背化の観点からポートの上下にも印字を行うスペースがない。このため、両端のポート１１−１とポート１１−８の近傍にしかポート番号が印字されていない。この場合、中間のポート１１−２〜１１−７はどちらかの端から数えるしかなく、誤りやすい。
【０００４】
図１０（ｂ）に示すように、電子機器１Ｂのキャビネットの後部１０Ｂには、８つのポート１１−１〜１１−８が上下２段に配置されている。上下のポート番号は、まとめて下に印字されており、△マークの向きにより、上が奇数番、下が偶数番であることを示している。しかし、マークを用いた識別であるため、分かり難く、ポート番号を見誤る可能性がある。
【０００５】
また、図１０（ａ）の例と図１０（ｂ）の例に共通する問題として、電子機器１Ａおよび電子機器１Ｂが、例えば足元などの位置に設置されていた場合には、キャビネットの後部１０Ａ，１０Ｂの文字が作業者から見えづらく、一層間違えやすい。
また、作業者が正しいポートを視認できたとしても、挿すケーブルを取る際に、一旦、ポートから目線が離れる。このため、正しいポートを見失ってしまうおそれもある。
【０００６】
特許文献１には、外部機器と接続するための複数の外部入出力端子の各々に対応して発光手段を割り当て、複数の外部入出力端子のうち、選択操作された外部入出力端子に対応する発光手段を点灯させる点灯切替え手段を備える電子機器が記載されている。特許文献１に記載の電子機器は、ポート近傍に設置されたＬＥＤを遠隔制御で点灯させることで作業者に正しいポートを認識させる。
【先行技術文献】
【特許文献】
【０００７】
【特許文献１】特開２００８−２４２７１８号公報
【発明の概要】
【発明が解決しようとする課題】
【０００８】
しかしながら、特許文献１に記載の電子機器では、ポート近傍に設置されたＬＥＤと、対応するポートとの位置関係が分かりやすくなっているとは限らない。この点で図７Ａ−Ｂの例のような従来技術の文字印字と同じ問題を抱えており、ポート誤認のおそれがある。また、機器正面にＬＥＤを設置するためのスペースを確保しなければならないという課題がある。
【０００９】
このような背景を鑑みて本発明がなされたのであり、本発明は、ポート実装密度を犠牲にせず、作業者が作業対象のポートを誤ることを防止することができる誤挿抜防止システムを提供することを課題とする。
【課題を解決するための手段】
【００１０】
前記した課題を解決するため、請求項１に記載の発明は、外部信号を送受するための複数の入出力ポートを有する電子機器と、各前記入出力ポートに設置され、人体の接触を検出するタッチセンサと、各前記入出力ポートを区別する情報を表示する表示部と、人体の接触を検出した前記タッチセンサに対応する前記入出力ポートの情報を前記表示部に表示する制御部と、を備えることを特徴とする誤挿抜防止システムとした。
【００１１】
このようにすることで、一つの電子機器に多数のポートが配置されている場合であっても作業者が誤ったポートにケーブルを接続してしまったり、逆に誤ったケーブルを抜去してしまったりするヒューマンエラーの発生を未然に防止することができる。また、ポート実装密度を犠牲にせず、作業者が作業対象のポートを誤ることを防止することができる。
【００１２】
また、請求項２に記載の発明は、前記タッチセンサが、人体に接する導電部品を介して人体の接触を検出することを特徴とする請求項１に記載の誤挿抜防止システムとした。
【００１３】
このようにすることで、人体のほか、人体に接する導電部品（例えばコネクタやポートを塞ぐキャップ）を介して人体の接触を検出することができる。
【００１４】
また、請求項３に記載の発明は、前記電子機器は、各前記入出力ポートをキャビネットの面に配列し、前記表示部は、前記キャビネットの前記面上に配置されることを特徴とする請求項１に記載の誤挿抜防止システムとした。
【００１５】
このようにすることで、表示部の設置スペースは、キャビネットの一部領域で済むので、キャビネットの面を有効利用することができ、ポート実装密度をより一層高めることができる。
【００１６】
また、請求項４に記載の発明は、前記電子機器を監視する監視装置と、前記タッチセンサによる信号を前記監視装置に通知する通知部と、さらに備えることを特徴とする請求項１に記載の誤挿抜防止システムとした。
【００１７】
このようにすることで、現地と遠隔で認識を合わせながら、二重確認して作業を行うことができるので、誤作業を減らすことができる。
【発明の効果】
【００１８】
本発明によると、ポート実装密度を犠牲にせず、作業者が作業対象のポートを誤ることを防止することができる誤挿抜防止システムを提供することができる。
【図面の簡単な説明】
【００１９】
【図１】本発明の第１の実施形態に係る誤挿抜防止システムを模式的に示す機能ブロック図である。
【図２】本実施形態に係る誤挿抜防止システムの電子機器の物理的な実装を示す斜視図である。
【図３】本実施形態に係る誤挿抜防止システムのタッチが行われていない時のタッチ検出回路Ｔの模式図であり、（ａ）はそのタッチ検出回路Ｔの回路図、（ｂ）は（ａ）の回路の端子Ａから出力するパルス波形を示す波形図、（ｃ）は（ａ）の回路の端子Ｂから出力するパルス波形を示す波形図である。
【図４】本実施形態に係る誤挿抜防止システムのタッチが行われた時のタッチ検出回路Ｔの模式図であり、（ａ）はそのタッチ検出回路Ｔの回路図、（ｂ）は（ａ）の回路の端子Ａから出力するパルス波形を示す波形図、（ｃ）は（ａ）の回路の端子Ｂから出力するパルス波形を示す波形図である。
【図５】本実施形態に係る誤挿抜防止システムの電子機器の誤挿抜防止の第１の使用方法を示す図である。
【図６】本実施形態に係る誤挿抜防止システムの電子機器の誤挿抜防止の第２の使用方法を示す図である。
【図７】本実施形態に係る誤挿抜防止システムの電子機器の誤挿抜防止の第３の使用方法を示す図である。
【図８】本実施形態に係る誤挿抜防止システムの電子機器のポートの変形例を示す斜視図であり、（ａ）は、変形例１を示す斜視図、（ｂ）は、変形例２を示す斜視図である。
【図９】本発明の第２の実施形態に係る誤挿抜防止システムを模式的に示す機能ブロック図である。
【図１０】従来の電子機器のキャビネットの後部に横方向に配列して設けられたポートを示す図であり、（ａ）は、ポート番号が始端と終端のポートの近傍に表示された例を示す図、（ｂ）は、上下にポートが配列され、ポート番号が略号と共に記載された例を示す図である。
【発明を実施するための形態】
【００２０】
以下、図面を参照して本発明を実施するための形態（以下、「本実施形態」という）における誤挿抜防止システムについて説明する。
（第１の実施形態）
図１は、本発明の第１の実施形態に係る誤挿抜防止システムを模式的に示す機能ブロック図である。本実施形態に係る誤挿抜防止システムは、光伝送装置の光ファイバケーブルの挿抜に適用した例である。光伝送装置以外の他の電子機器に適用できる。
図１に示すように、光伝送装置１００（誤挿抜防止システム；電子機器）は、キャビネット１００Ａ（図２参照）の前面に配置された複数のポート１０１−１，１０１−２，…，１０１−ｎ（ｎは任意の自然数）（入出力ポート）と、各ポート１０１−１，１０１−２，…，１０１−ｎ内に設置されたタッチセンサ１０２−１，１０２−２，…，１０２−ｎと、制御部１１０と、記憶部１２０と、表示部１３０と、を備える。
なお、ポート１０１−１，１０１−２，…，１０１−ｎを特に区別しない場合は、ポート１０１と総称する。タッチセンサ１０２−１，１０２−２，…，１０２−ｎを特に区別しない場合は、タッチセンサ１０２と総称する。
【００２１】
ポート１０１は、外部信号を送受するための入出力ポートである。
ポート１０１には、光ファイバケーブル２０（以下、ケーブル２０という）の端部に設けられたコネクタ２１（導電部品）が挿入される。
コネクタ２１は、ソケット部（外形部）が導電性プラスチックなどの導電性材料からなる。ただし、コネクタ２１は、ソケット部が樹脂モールドやプラスチックなど非導電性材料を使用してもよい。
【００２２】
タッチセンサ１０２は、各ポート１０１内に設置され、指（人体）やコネクタ２１が直接触れたことを検出する。本実施形態では、コネクタ２１（導電性材料）の接触も検出する。このため、タッチセンサ１０２は、静電容量の変化を検出する静電容量式タッチセンサを用いている。
なお、タッチセンサ１０２は、抵抗膜方式（感圧式）を用いてもよい。なお、抵抗膜方式のタッチセンサを用いる場合、構造が単純で低コスト、表面にフィルムを塗布していることからホコリや水滴に強い点が挙げられる。
【００２３】
制御部１１０は、人体の接触を検出したタッチセンサ１０２に対応するポート１０１の情報を表示部１３０に表示する。具体的には、制御部１１０は、タッチセンサ１０２が指のタッチを検知すると、対応するポート番号を記憶部１２０から取得し、そのポート番号を表示部１３０に表示する。制御部１１０は、タッチセンサ１０２への入力が新しく行われるたびに更新され、タッチセンサ１０２への入力が無い場合、一定時間経過後に自動的に消えるよう制御される。制御部１１０は、隣接する複数のセンサ情報を検知した場合、表示部１３０への表示を行わないように制御する。
【００２４】
記憶部１２０は、各ポート１０１を区別する情報（例えば、ポート番号）を記憶する。
表示部１３０は、各ポート１０１を区別する情報（例えば、ポート番号）を表示する。
【００２５】
図２は、光伝送装置１００の物理的な実装を示す斜視図である。
図２に示すように、光伝送装置１００は、キャビネット１００Ａを有し、キャビネット１００Ａの側面（ここでは、作業者が視認し易い前面）には、複数のポート１０１−１，１０１−２，…，１０１−１０が横方向に上下２段で配置される。ポート１０１−１，１０１−２，…，１０１−１０内には、タッチセンサ１０２−１，１０２−２，…，１０２−１０が設けられている。
また、キャビネット１００Ａの前面の左上角部には、表示部１３０が設置されている。
【００２６】
ポート１０１は、光伝送装置１００のキャビネット１００Ａの前面に配置され、作業者が挿抜作業を行う対象である。
【００２７】
タッチセンサ１０２は、対応するポート１０１の内側底面部に配置されている。タッチセンサ１０２は、タッチ部がポート１０１の内側底面部と一体化しており、指等が前面からポート１０１の内側底面部に触れることで反応する。
【００２８】
表示部１３０は、液晶ディスプレイ、ＬＥＤ数字表示器等である。表示部１３０は、作業者が表示内容を確認できるよう前面の見やすい位置、例えばキャビネット１００Ａの前面の左上角部に配置される。
なお、図２では、すべてのポート１０１が非タッチ状態であるので、表示部１３０には、ポート１０１がすべて非接触状態にあることを示す「００」が表示される。
【００２９】
次に、図３および図４を参照してタッチセンサ１０２のタッチ検出を説明する。
図３は、タッチが行われていない時のタッチ検出回路Ｔの模式図であり、図３（ａ）はそのタッチ検出回路Ｔの回路図、図３（ｂ）は図３（ａ）の回路の端子Ａから出力するパルス波形を示す波形図、図３（ｃ）は図３（ａ）の回路の端子Ｂから出力するパルス波形を示す波形図である。
タッチセンサ１０２（図２参照）は、図示しない電源からの電源供給を受けて動作し、図３（ａ）に示すタッチ検出回路Ｔの端子Ｂの静電容量の変化を検出する。Ｒは、タッチ検出回路Ｔの回路抵抗である。
タッチ検出回路Ｔは、ＲＣ回路の時定数変化を読み取る回路を用いる。タッチが行われていない時のタッチ検出回路Ｔは、端子Ａで送信した電気パルスを端子Ｂで検出する際、その立ち上がり時間（ここでは９０％立ち上がり時間とする）τは極めて小さな値となる。
【００３０】
図４は、タッチが行われた時のタッチ検出回路Ｔの模式図であり、図４（ａ）はそのタッチ検出回路Ｔの回路図、図４（ｂ）は図４（ａ）の回路の端子Ａから出力するパルス波形を示す波形図、図４（ｃ）は図４（ａ）の回路の端子Ｂから出力するパルス波形を示す波形図である。
図４（ａ）に示すように、人体は誘電体であり、静電容量Ｃｆを有する。人体がタッチセンサ１０２（図２参照）にタッチすると、タッチ検出回路Ｔは、タッチセンサ１０２と大地間の静電容量Ｃｆを検出する。
図４（ａ）に示すように、タッチが行われた時のタッチ検出回路Ｔは、人体の静電容量ＣｆによってＲＣ回路が形成され、図４（ｃ）に示すように、端子Ｂでのパルス立ち上がりは遅れて検出される。
人体の静電容量Ｃｆは、約１００ｐＦと言われている。タッチ検出回路Ｔの回路抵抗Ｒを１０ＭΩとすると、タッチ検出回路Ｔの時定数ＲＣは１００ｐＦ×１０ＭΩ＝１ｍｓｅｃである。９０%立ち上がり時間は、時定数ＲＣの約２．２倍であるから、τは２．２ｍｓｅｃである。この遅れによって、タッチセンサ１０２は、タッチされたことを検出できる。
【００３１】
タッチセンサ１０２に人体が直接触れるのではなく、把持物を介して触れた際にも、タッチを検出するようにすることができる（後記図６および図７参照）。ただしこの場合、把持物は導電体で作られておりタッチセンサ１０２のセンサ部（タッチ電極）と同電位になっているか、そうでない場合でも把持部の近傍に導体を配置するなどして高い静電容量を持つように設計されている必要がある。
その理由は、以下の通りである。
把持物がある際に、人体の静電容量Ｃｆに代わって検出される静電容量Ｃｔは、人体の静電容量Ｃｆと把持物の静電容量Ｃｍの直列接続容量であり、式（１）で計算できる。
【００３２】
（１／Ｃｔ）＝（１／Ｃｆ）＋（１／Ｃｍ）      …（１）
【００３３】
もし把持物が金属などの導体である場合、Ｃｆは無限大と考えられるため、Ｃｔ＝Ｃｍとなり、図４（ａ）に示すタッチ検出回路Ｔの場合となんら変わらず検出が可能となる。
【００３４】
他方、把持物が絶縁体であり、人体がこの絶縁体を介して触れる場合、把持物の静電容量Ｃｍは極めて小さな値になる。一般的なプラスチック材料の比誘電率として、３を想定し、人体と触れている面積が１ｃｍ２、センサ部と同電位の位置から人体までの距離が1ｃｍであるとすると、Ｃｍは静電容量の式（２）で示される。式（２）により、静電容量Ｃｍは、約０．２５ｐＦと計算される。
【００３５】
Ｃ＝ε０×εr×Ｓ／ｄ      …（２）
ε０：真空の誘電率
εr：材料の比誘電率
Ｓ：電極面積
ｄ：電極間距離
【００３６】
上記式（１）にＣｆ＝１００ｐＦ、Ｃｍ＝０．２５ｐＦを代入すれば、Ｃｔ≒０．２５ｐＦとなり、Ｃｍとほぼ変わらない値となる。これはタッチ検出回路Ｔ内の寄生容量と同レベルと考えられ、遅れτはタッチされていない場合との区別がしづらく、検出は困難である。また、持つ位置がずれるなど把持の仕方によっては容易にもっと小さな値になり得るため、現実的ではない。
【００３７】
以上のことから、把持物は導電性材料で作られていることが好ましい。本実施形態では、把持物はコネクタ２１（図２参照）であり、コネクタ２１は導電性材料で作られている。このため、タッチセンサ１０２は、人体（指）のほか、コネクタ２１によるタッチも検出することができる。
【００３８】
以下、上述のように構成された誤挿抜防止システムに用いられる電子機器の誤挿抜防止動作を説明する。
基本的な動作は、下記の通りである。
図１に示すように、制御部１１０は、タッチセンサ１０２へのタッチを検知する。タッチセンサ１０２へのタッチが行われると、制御部１１０は、そのタッチセンサ１０２に対応するポートの番号を記憶部１２０から取得する。制御部１１０は、記憶部１２０から取得したポートの番号を表示部１３０に表示する。
制御部１１０は、タッチセンサ１０２への入力（タッチ）が新しく行われるたびに表示部１３０への表示を更新する。制御部１１０は、タッチセンサ１０２への入力が一定時間以上ない場合、一定時間経過後に表示部１３０の表示を消すように制御する。
また、制御部１１０は、複数のタッチセンサ１０２への同時入力を検知した場合、いずれのタッチセンサ１０２の表示を行わない。作業者が隣接する複数のタッチセンサ１０２に触れてしまうことが考えられる。制御部１１０は、そのような場合、混乱を避けるために表示を行わないように制御する。
【００３９】
次に、具体的な使用方法について説明する。
図５は、電子機器の誤挿抜防止の第１の使用方法を示す図である。
作業者は、ポート１０１−４にコネクタ２１（図１参照）を挿入しようとする。
図５に示すように、作業者が作業対象のポート（ここではポート１０１−４）に指で触れる。ポート１０１−４のタッチセンサ１０２−４へのタッチが行われると、制御部１１０は、そのタッチセンサ１０２−４に対応するポート１０１−４の番号「０４」を記憶部１２０から取得する。制御部１１０は、記憶部１２０から取得したポート１０１−４の番号「０４」を表示部１３０に表示する。
これにより、作業者は、作業対象のポート１０１−４のポート番号「０４」を確認することができる。ポートの並び順の誤認や端からの数え間違いのリスクを負うことなく、ポートの位置を確認することができ、誤接続を減らすことができる。
【００４０】
図６は、電子機器の誤挿抜防止の第２の使用方法を示す図である。
作業者は、ポート１０１−４にコネクタ２１を挿入しようとする。コネクタ２１は、導電性材料で作られており、上述した把持物に対応する。
図６の白抜き矢印に示すように、作業者は、コネクタ２１を把持し、コネクタ２１の先端で作業対象のポート（ここではポート１０１−４）に触れる。コネクタ２１の先端がポート１０１−４のタッチセンサ１０２−４にタッチすると、タッチセンサ１０２−４は、コネクタ２１および人体による静電容量の変化を検出し、検出信号を制御部１１０に出力する。ここで、コネクタ２１は、導電性材料で作られており、タッチセンサ１０２と同電位となる。制御部１１０は、タッチセンサ１０２−４に対応するポート１０１−４の番号「０４」を記憶部１２０から取得する。制御部１１０は、記憶部１２０から取得したポート１０１−４の番号「０４」を表示部１３０に表示する。
【００４１】
これにより、コネクタ２１をあてがったポート１０１−４の番号「０４」が表示部１３０に表示される。作業者がコネクタ２１をあてがうとそのポートの番号が、表示部１３０に表示される。このため、作業者は、正しいポートであることを確認後、そのままコネクタ２１をポート１０１−４内に押し込むことで、接続が完了する。
なお、上記第１の使用方法の場合、ケーブル２０を手に取る際などに余所見してしまうと、確認したポートを見失うおそれがあるが、第２の使用方法によればその心配が無い。
【００４２】
図７は、電子機器の誤挿抜防止の第３の使用方法を示す図である。第３の使用方法は、コネクタ２１を抜去する際の動作である。
作業者は、ポート１０１−４からコネクタ２１を抜去しようとする。
図７は、既に接続されているケーブル２０のコネクタ２１に、作業者が触れた状態を示している。この場合も、タッチセンサ１０２−４は、コネクタ２１を介して人体が触れたことによる静電容量の変化を検出し、検出信号を制御部１１０に出力する。制御部１１０は、記憶部１２０から取得したポート１０１−４の番号「０４」を表示部１３０に表示する。
作業者は、コネクタ２１を把持することで、表示部１３０に該当するポートの番号「０４」を視認することができる。作業者は、自分が掴んでいるコネクタ２１が正しいポートに接続されているケーブルであることを確認できる。作業者は、正しいポートの番号であれば、そのまま抜去する。これにより、誤ったケーブルを抜去してしまうミスを防ぐことができる。
【００４３】
［変形例］
図８は、光伝送装置１００のポートの変形例を示す斜視図である。
図８（ａ）に示すように、キャビネット１００Ａの前面には、前面から突出するポート１０１Ａが配列されている。ポート１０１Ａは、直方体形状であり、直方体形状のポート１０１Ａの内側底面部には、タッチセンサ１０２が配置され、直方体形状のポート１０１Ａの上面には、タッチセンサ１０２Ａが配置される。すなわち、ポート１０１Ａは、内側底面部に配置されたタッチセンサ１０２と、上面に配置されたタッチセンサ１０２Ａとを有する。タッチセンサ１０２Ａは、タッチセンサ１０２と同様な構成を有する。
この変形例では、ポート１０１Ａに挿抜されるコネクタが小型であり、これに伴いポート１０１Ａの内側の幅が狭い構造において、ポート１０１Ａ内に指を差し込むのが難しい場合に有効である。
【００４４】
また、図８（ｂ）に示すように、図８（ａ）のポート１０１Ａから上面のタッチセンサ１０２Ａを取り去る。代わりに、ポート１０１Ａに装着可能な導電性材料からなるキャップ１０３（導電部品）を設ける。キャップ１０３は、コネクタ２１（図６および図７参照）と同様に導電性プラスチックなどの導電性材料からなる。キャップ１０３は、ポート１０１Ａに装着された場合、ポート１０１Ａ内のタッチセンサ１０２に接触する。
【００４５】
作業者は、キャップ１０３の表面に触れることで、キャップ１０３を介してポート１０１Ａ内のタッチセンサ１０２を反応させることができる。
導電性材料からなるキャップ１０３を用いることで、図８（ａ）に示すタッチセンサ１０２Ａを省くことができる。キャップ１０３は、未使用のポートに装着した場合に、防塵機能を兼ねることができる。
なお、図８（ａ）に示すタッチセンサ１０２Ａに、図８（ｂ）に示すキャップ１０３を用いても構わない。
【００４６】
図９は、本発明の第２の実施形態に係る誤挿抜防止システムを模式的に示す機能ブロック図である。図１と同一構成部分には、同一符号を付して重複箇所の説明を省略する。
図９に示すように、誤挿抜防止システムは、光伝送装置２００（誤挿抜防止システム；電子機器）と、保守サーバ２５０と、を備える。
光伝送装置２００（誤挿抜防止システム；電子機器）は、キャビネット１００Ａ（図２参照）の前面に配置された複数のポート１０１−１，１０１−２，…，１０１−ｎと、各ポート１０１−１，１０１−２，…，１０１−ｎ内に設置されたタッチセンサ１０２−１，１０２−２，…，１０２−ｎと、制御部１１０と、記憶部１２０と、表示部１３０と、通知部１４０と、を備える。通知部１４０は、有線または無線によって保守サーバ２５０（監視装置）に接続され、制御部１１０で認識したタッチ状態およびポート番号を、保守サーバ２５０に通知する。
保守サーバ２５０は、光伝送装置２００を含む他の電子機器（図示省略）からのタッチ状態およびポート番号を管理する。保守サーバ２５０は、光伝送装置２００から通知されたタッチ状態およびポート番号を、遠隔にいる作業指示者にリアルタイムで伝える。
【００４７】
遠隔にいる作業指示者は、所定の連絡手段（例えば、作業者が持つ携帯情報端末による画面表示や携帯電話機による音声）により、現地作業者に作業指示・確認を行う。
作業指示者は、前述した第１〜第３の使用方法のいずれに対しても、作業者が正しいポートに対して作業しているかを確認しながら指示することができる。例えば、ケーブル２０（図７参照）の抜去時であれば、次のようになる。すなわち、作業者がコネクタ２１（図７参照）を把持した段階で、作業指示者に確認を求める。作業指示者は、触れられているそのコネクタ２１が正しい作業対象ポートに接続されたケーブル２０であることを確認し、抜去指示を出す。作業者は、掴んでいるケーブル２０をそのまま抜去する。以上のようにすることで、現地と遠隔で認識を合わせながら、二重確認して作業を行うことができるので、誤作業を減らすことができる。
【００４８】
以上説明したように、誤挿抜防止システムの光伝送装置１００は、外部信号を送受するための複数のポート１０１と、各ポート１０１内に設置され、人体の接触を検出するタッチセンサ１０２と、人体の接触を検出したタッチセンサ１０２に対応するポート１０１の情報を表示部１３０に表示する制御部１１０と、各ポート１０１を区別する情報を記憶する記憶部１２０と、各ポート１０１を区別する情報を表示する表示部１３０と、を備える。
このように構成することで、作業者は各ポート１０１に対して挿抜作業を行う際、作業対象ポートを表示部１３０で確認しながら作業を行うことができる。したがって、ポート１０１の実装密度が高くなり、一つの電子機器に多数のポートが配置されている場合であっても作業者が誤ったポートにケーブルを接続してしまったり、逆に誤ったケーブルを抜去してしまったりするヒューマンエラーの発生を未然に防止することができる。
また、多数のポートを配置する構成を実現しながら、表示部１３０はキャビネット１００Ａの前面の一箇所である。このため、ポート実装密度を犠牲にせず、作業者が作業対象のポートを誤ることを防止することができる。
【００４９】
以上、本発明の実施形態について説明したが、本発明は前記各実施形態に限定されず、本発明の要旨を逸脱しない範囲で適宜変更可能である。
本実施形態では、指で触りやすいポート１０１内の底面部にタッチセンサ１０２のタッチ部を設けているが、これには限定されず、例えばポート１０１の開口部の外周部または内周面にタッチ部を設けてもよい。
本実施形態では、表示部１３０に表示する各入出力ポートを区別する情報を、ポート番号であるとしたが、作業対象のポートであることを確認できるものであればよく、例えば顧客コードなどほかの情報でもよい。
本実施形態では、表示部１３０は光伝送装置１００と同じキャビネット１００Ａに実装されるものとしたが、独立した表示装置を設けてもよい。
本実施形態では、ケーブル２０を接続する例を用いて示したが、ケーブル２０ではなく、ＵＳＢメモリなどの記憶装置や、ＳＦＰ（Small Form Factor Pluggable）のようなプラガブルモジュールにも適用可能である。
【符号の説明】
【００５０】
２０  ファイバケーブル（ケーブル）
２１  コネクタ（導電部品）
１００，２００  光伝送装置（誤挿抜防止システム；電子機器）
１００Ａ  キャビネット
１０１，１０１−１，１０１−２，…，１０１−ｎ  ポート（入出力ポート）
１０２，１０２−１，１０２−２，…，１０２−ｎ  タッチセンサ
１０３  キャップ（導電部品）
１１０  制御部
１２０  記憶部
１３０  表示部
１４０  通知部
２５０  保守サーバ（監視装置）
Ｔ  タッチ検出回路
【図１】
2019219471.tif 000003
【図２】
2019219471.tif 000004
【図３】
2019219471.tif 000005
【図４】
2019219471.tif 000006
【図５】
2019219471.tif 000007
【図６】
2019219471.tif 000008
【図７】
2019219471.tif 000009
【図８】
2019219471.tif 000010
【図９】
2019219471.tif 000011
【図１０】
2019219471.tif 000012